(57)【要約】【課題】カットスイカを綺麗な状態で包装しながら、カットスイカの稜線の先端部で包装袋が破損されるのを有効に防止する。【解決手段】カットスイカの包装袋は、直線状の稜線３１の両面にカット面３２ができるようにカットされたカットスイカ３０を収納する透明のプラスチックフィルム１９からなり、袋の一方の側辺である第１の側辺１１と底辺１３とのコーナー部１４を、カットスイカ３０の外皮３３のカーブに沿う円弧状とする袋状にしている。カットスイカの包装袋は、第１の側辺１１と対向する位置にあり、かつカットスイカ３０の稜線３１に沿う直線状である第２の側辺１２と、この第２の側辺１２に対して直交する底辺１３とのコーナー部に位置するＬ字状コーナー部１５の隅角を、第２の側辺１２と底辺１３の両方に渡って所定の長さで熱溶着しており、熱溶着してなるＬ字状コーナー部１５の内側に、カットスイカ３０の稜線３１の一端部を収納する。【選択図】図３
2011037487.tif 000002
【特許請求の範囲】
【請求項１】
直線状の稜線(31)の両面にカット面(32)ができるようにカットされたカットスイカ(30)を収納する透明のプラスチックフィルム(19)からなり、袋の一方の側辺である第１の側辺(11)と底辺(13)とのコーナー部(14)を、カットスイカ(30)の外皮(33)のカーブに沿う円弧状とする袋状にしてなるカットスイカの包装袋において、
前記第１の側辺(11)と対向する位置にあり、かつ前記カットスイカ(30)の稜線(31)に沿う直線状である第２の側辺(12)と、この第２の側辺(12)に対して直交する底辺(13)とのコーナー部に位置するＬ字状コーナー部(15)の隅角が、第２の側辺(12)と底辺(13)の両方に渡って所定の長さで熱溶着され、熱溶着してなるＬ字状コーナー部(15)の内側に、カットスイカ(30)の稜線(31)の一端部を収納するようにしてなることを特徴とするカットスイカの包装袋。
【請求項２】
前記Ｌ字状コーナー部(15)が、第２の側辺(12)が直線状に突出してなる突出部(17)を有し、この突出部(17)が先端部を湾曲形状としてなる請求項１に記載されるカットスイカの包装袋。
【請求項３】
前記プラスチックフィルム(19)が二つ折りされて折り線部(18)を底辺(13)としており、二つ折りして折り線部(18)としてなる底辺(13)と第２の側辺(12)の両方がＬ字状コーナー部(15)の隅角で熱溶着されてなる請求項１又は２に記載されるカットスイカの包装袋。
【請求項４】
前記プラスチックフィルム(19)が２枚のプラスチックフィルム(19)からなり、２枚のプラスチックフィルム(19)が積層されて、第１の側辺(11)と、直線状の第２の側辺(12)と、前記底辺(13)とが熱溶着されて、前記Ｌ字状コーナー部(15)の第２の側辺(12)と底辺(13)とが熱溶着されてなる請求項１または２に記載されるカットスイカの包装袋。
【請求項５】
前記プラスチックフィルム(19)が２枚のプラスチックフィルム(19)からなり、一方のプラスチックフィルム(19)が透明の２軸延伸ポリプロピレンフィルムで、他方のプラスチックフィルム(19)が無延伸ポリプロピレンフィルムである請求項１、２、４のいずれかに記載されるカットスイカの包装袋。
【請求項６】
２枚のプラスチックフィルム(19)が透明の２軸延伸ポリプロピレンフィルムである請求項４または５に記載されるカットスイカの包装袋。
【請求項７】
前記底辺(13)の全体を所定の曲率半径で湾曲する形状として熱溶着してなる請求項１、２、４、５、６のいずれかに記載されるカットスイカの包装袋。
【発明の詳細な説明】
【技術分野】
【０００１】
本発明は、直線状の稜線ができるように複数のカットしているカットスイカを包装する袋に関する。
【背景技術】
【０００２】
カットスイカの包装袋は開発されている（特許文献１参照）。この包装袋は、図１に示すように、透明基材からなる角型袋であって、その一側辺９２を直線のまま残し、他側辺９１と底辺９３との隅角部を円弧９４に形成したことを特徴とし、一側辺９２をカットスイカの稜線に合わせて収容して開口部９６を閉じるだけで、カットスイカの稜線及び合掌状に対向するカット面を綺麗に包装できるようにしている。
【０００３】
以上の包装袋は、カットスイカを収納して開口部を閉じて包装することで、直線状の稜線の両面にカット面のあるカットスイカを、稜線とカット面を手間を掛けずに綺麗に見せて包装できる。また、埃を寄せ付けないように衛生的に包装できる特徴がある。
【先行技術文献】
【特許文献】
【０００４】
【特許文献１】特開２００２−３７３７０号公報
【発明の概要】
【発明が解決しようとする課題】
【０００５】
しかしながら、以上の包装袋は、カットスイカを収納する状態で稜線の先端部が包装袋を内面から突いて、底辺９３と一側辺９２とのコーナー部９５が破裂しやすい欠点がある。とくに、稜線の先端部を尖った形状とするカットスイカを収納する状態にあって、包装袋が破損しやすい欠点がる。さらに困ったことに、コーナー部９５が局部的に破損すると、破損部分が稜線に沿って拡大されやすい欠点もある。さらにまた、図１の包装袋は、フィルムを二つ折りして折り線部９８を底辺９３として、この底辺９３と側辺９１、９２を熱溶着するので、底辺９３と一側辺９２とのＬ字状コーナー部９５の隅角で表裏のプラスチックフィルムを確実に溶着するのが難しく、隅角で表裏のフィルムが完全に溶着されずにピンホールができやすい欠点がある。それは、図２の拡大図に示すように、フィルムを二つ折りしている折り線部９８は、隅角の曲率半径を０として折曲することが難しく、所定の曲率半径で湾曲して、その内側にピンホール９７ができるからである。隅角のピンホール９７で完全に溶着されない表裏のフィルムは、連結されないピンホール９７の剥離部分が隅角から側辺９２に沿って拡大しやすい欠点もある。さらに、カットスイカの包装袋として、腰があって透明性に優れるポリプロピレンフィルムを使用すると、表裏のポリプロピレンフィルムを、二つ折りして折り線部となる底辺と側辺とのＬ字状コーナー部でピンホールができないように確実に溶着することが難しく、ピンホールによって剥離領域が拡大しやすい欠点がある。さらにまた、優れた透明性の２軸延伸ポリプロピレンフィルムを使用する包装袋は、延伸方向に破損しやすく、隅角のピンホールが拡大されやすい欠点がある。
【０００６】
本発明は、この欠点を解決することを目的に開発されたものである。本発明の重要な目的は、カットスイカを綺麗な状態で包装しながら、カットスイカの稜線の先端部で包装袋が破損されるのを有効に防止できるカットスイカの包装袋を提供することにある。
【課題を解決するための手段及び発明の効果】
【０００７】
本発明のカットスイカの包装袋は、直線状の稜線３１の両面にカット面３２ができるようにカットされたカットスイカ３０を収納する透明のプラスチックフィルム１９からなり、袋の一方の側辺である第１の側辺１１と底辺１３とのコーナー部１４を、カットスイカ３０の外皮３３のカーブに沿う円弧状とする袋状にしている。カットスイカの包装袋は、第１の側辺１１と対向する位置にあり、かつカットスイカ３０の稜線３１に沿う直線状である第２の側辺１２と、この第２の側辺１２に対して直交する底辺１３とのコーナー部に位置するＬ字状コーナー部１５の隅角を、第２の側辺１２と底辺１３の両方に渡って所定の長さで熱溶着しており、熱溶着してなるＬ字状コーナー部１５の内側に、カットスイカ３０の稜線３１の一端部を収納する。
【０００８】
以上のカットスイカの包装袋は、カットスイカを綺麗な状態で包装しながら、カットスイカの稜線の先端部で包装袋が破損されるのを有効に防止できる。それは、本発明の包装袋が、カットスイカの稜線の先端部に位置する底辺と側辺とのＬ字状コーナー部の隅角を、底辺と側辺の両方で熱溶着しているからである。とくに、Ｌ字状コーナー部の隅角を、底辺と側辺の両方で熱溶着する構造は、二つ折りしてなる折り線部を底辺とする包装袋のように、底辺の形状が直線状に特定されず、稜線を挿入して破損し難い形状としながら、表裏のプラスチックフィルムを、底辺と側辺にピンホールができないように確実に熱溶着できる特徴がある。Ｌ字状コーナー部の隅角にピンホールのない包装袋は、ピンホールによって剥離が拡大される欠点もなく、カットスイカを収納して稜線の先端部からの破損を有効に防止できる特徴がある。
【０００９】
本発明のカットスイカの包装袋は、Ｌ字状コーナー部１５が、第２の側辺１２を直線状に突出させてなる突出部１７を有して、この突出部１７の先端部を湾曲形状とすることができる。
【００１０】
以上の包装袋は、稜線に沿う第２の側辺を直線状に突出して突出部を設け、さらにこの突出部の先端部を湾曲形状とするので、Ｌ字状コーナー部の隅角の破損をより確実に阻止できる特徴がある。それは、底辺と第２の側辺とが直角に連結されず、稜線の両側にあるカット面で第２の側辺が拡大される状態となっても、その力から隅角に集中しないからである。また、稜線の先端部に突起のあるカットスイカを挿入しても、カットスイカの突起が突出部に案内されるので、突起が隅角を突いて破損するのを防止することによっても、Ｌ字状コーナー部の隅角の破損を確実に防止できる。
【００１１】
本発明のカットスイカの包装袋は、プラスチックフィルム１９を二つ折りしてなる折り線部１８を底辺１３として、二つ折りして折り線部１８としてなる底辺１３と第２の側辺１２の両方をＬ字状コーナー部１５の隅角で熱溶着することができる。
以上の包装袋は、二つ折りしてなる折り線部をＬ字状コーナー部の隅角で熱溶着しているので、Ｌ字状コーナー部の隅角にピンホールができるのを防止しながら、一枚のプラスチックフィルムで製造できる特徴がある。
【００１２】
本発明のカットスイカの包装袋は、プラスチックフィルム１９が２枚のプラスチックフィルム１９からなり、２枚のプラスチックフィルム１９を積層して、第１の側辺１１と、直線状の第２の側辺１２と、底辺１３とを熱溶着して、Ｌ字状コーナー部１５の第２の側辺１２と底辺１３とを熱溶着することができる。
以上の包装袋は、２枚のプラスチックフィルムを積層して、底辺と第２の側辺と第１の側辺とを熱溶着するので、底辺を長い寸法でカットスイカの外皮の湾曲面に沿う形状にでき、また、Ｌ字状コーナー部の隅角を自由な形状にできるので、稜線の先端部に突起のあるカットスイカを挿入しても隅角の破損されない形状にできる特徴がある。
【００１３】
本発明のカットスイカの包装袋は、一方のプラスチックフィルム１９を透明の２軸延伸ポリプロピレンフィルムとして、他方のプラスチックフィルム１９を無延伸ポリプロピレンフィルムとすることができる。
以上の包装袋は、透明性に優れて腰のある２軸延伸ポリプロピレンフィルムを使用するので、収納するカットスイカを綺麗に見せながら、Ｌ字状コーナー部の隅角のピンホールを防止できる特徴がある。また、延伸方向に破損しやすい２軸延伸ポリプロピレンフィルムを使用しながら、隅角を確実に溶着して、ピンホールの発生や破損の拡大を防止できる特徴がある。
【００１４】
本発明のカットスイカの包装袋は、プラスチックフィルム１９を２枚のプラスチックフィルム１９で構成して、２枚のプラスチックフィルム１９を透明の２軸延伸ポリプロピレンフィルムとすることができる。
以上の包装袋は、互いに積層している２枚のプラスチックフィルムを、透明性に優れて腰のある２軸延伸ポリプロピレンフィルムとするので、収納するカットスイカの両方のカット面を綺麗に見せながら、Ｌ字状コーナー部の隅角のピンホールを防止できる特徴がある。また、２枚のプラスチックフィルムに延伸方向に破損しやすい２軸延伸ポリプロピレンフィルムを使用しながら、隅角を確実に溶着して、ピンホールの発生や破損の拡大を防止できる特徴がある。
【００１５】
本発明のカットスイカの包装袋は、底辺１３の全体を所定の曲率半径で湾曲する形状として熱溶着することができる。
以上の包装袋は、底辺の全体を湾曲するので、この部分をカットスイカの外皮の湾曲面に密着して綺麗に収納できる特徴がある。
【図面の簡単な説明】
【００１６】
【図１】従来のカットスイカの包装袋の正面図である
【図２】図１に示すカットスイカの包装袋の要部拡大斜視図である。
【図３】本発明の一実施例にかかるカットスイカの包装袋の一部拡大正面図である。
【図４】図３に示すカットスイカの包装袋にカットスイカを収納した状態を示す斜視図である。
【図５】図３に示すカットスイカの包装袋にカットスイカを収納する状態を示す斜視図である。
【図６】本発明の他の実施例にかかるカットスイカの包装袋の一部拡大正面図である。
【発明を実施するための形態】
【００１７】
以下、本発明の実施例を図面に基づいて説明する。ただし、以下に示す実施例は、本発明の技術思想を具体化するためのカットスイカの包装袋を例示するものであって、本発明はカットスイカの包装袋を以下のものに特定しない。
【００１８】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１９】
カットスイカの包装袋は、図３ないし図５に示すように、直線状の稜線３１の両面にカット面３２ができるようにカットされたカットスイカ３０を収納する透明のプラスチックフィルム１９からなる。この包装袋１０は、袋の一方の側辺である第１の側辺１１と底辺１３とのコーナー部１４を、カットスイカ３０の外皮３３のカーブに沿う円弧状とする袋状にしている。この包装袋１０は、第１の側辺１１と対向する位置に直線状の第２の側辺１２を設けている。第２の側辺１２と底辺１３のコーナー部は、互いに直交してＬ字状コーナー部１５としている。以上の包装袋１０は、第１の側辺１１と底辺１３と第２の側辺１２の外周縁部に沿って、表裏のプラスチックフィルム１９を連結して、内部にカットスイカ３０を収納できる袋状としている。この包装袋１０は、直線状である第２の側辺１２を稜線３１に沿わせ、かつ底辺１３から第１の側辺１１をカットスイカ３０の外皮３３の中央に位置するようにカットスイカ３０を入れ、底辺１３の反対側に設けている開口部１６を結束バンド２０で結束してカットスイカ３０を収納する。
【００２０】
さらに、図３と図４の包装袋１０は、第２の側辺１２と底辺１３とのコーナー部にあるＬ字状コーナー部１５の隅角において、第２の側辺１２と底辺１３の両方に渡って所定の長さで熱溶着して、熱溶着しているＬ字状コーナー部１５の内側に、カットスイカ３０の稜線３１の一端部を収納するようにしている。図３の包装袋１０は、２枚のプラスチックフィルム１９を積層して、表裏のプラスチックフィルム１９とし、２枚のプラスチックフィルム１９の第１の側辺１１と、直線状の第２の側辺１２及び底辺１３の全体を熱溶着して、Ｌ字状コーナー部１５の隅角を含む全ての外周縁を熱溶着している。
【００２１】
さらに、図３の包装袋１０は、Ｌ字状コーナー部１５に突出部１７を設けている。突出部１７は、第２の側辺１２を直線状に突出させるように設けられて、その先端部を湾曲形状としている。湾曲している先端部の曲率半径は、約３ｍｍとする。ただし、この曲率半径は、たとえば１ｍｍ〜１０ｍｍ、好ましくは１．５ｍｍないし８ｍｍ、さらに好ましくは２ｍｍ〜５ｍｍとすることもできる。さらに、図３の包装袋１０は、突出部１７と底辺１３との境界部分も湾曲する形状としている。湾曲する突出部１７と底辺１３との境界部分の曲率半径も約３ｍｍとする。ただし、この曲率半径も、たとえば１ｍｍ〜１０ｍｍ、好ましくは１．５ｍｍないし８ｍｍ、さらに好ましくは２ｍｍ〜５ｍｍとすることができる。突出部１７の先端部と底辺１３との境界部分の両方が湾曲する包装袋１０は、突出部１７によって、底辺１３と第２の側辺１２との境界の破損を防止でき、また突出部１７と底辺１３との境界の破損も防止できる。
【００２２】
包装袋１０のプラスチックフィルム１９は、２軸延伸ポリプロピレンフィルムや無延伸ポリプロピレンフィルムである。２軸延伸ポリプロピレンフィルムは、腰があり、優れた引っ張り強度と、防湿性があり、しかも透明性に優れるので、収納しているカットスイカ３０を綺麗に見えるように包装できる特徴がある。また、無延伸ポリプロピレンフィルムは、ポリエチレンフィルムに比較すると優れた透明性があり、また、腰の強さも優れている。したがって、２枚のプラスチックフィルム１９を積層して製作される包装袋１０は、一方のプラスチックフィルムを透明の２軸延伸ポリプロピレンフィルムとして、他方のプラスチックフィルムを無延伸ポリプロピレンフィルムし、あるいは２枚のプラスチックフィルムを２軸延伸ポリプロピレンフィルムとして、包装するカットスイカを綺麗に見えるように包装できる。とくに、２軸延伸ポリプロピレンフィルムは無延伸ポリプロピレンフィルムよりもさらに優れた透明性と腰の強さがあるので、２枚のプラスチックフィルムを２軸延伸ポリプロピレンフィルムとする包装袋は、その両面での透明性に優れ、収納するカットスイカの両方のカット面を綺麗に見えるように包装できる特徴がある。２軸延伸ポリプロピレンフィルムや無延伸ポリプロピレンフィルムからなるプラスチックフィルムには、厚さを２０μｍないし６０μｍとするものが使用できるが、好ましくは４０μｍ〜５０μｍのものが使用できる。
【００２３】
ただし、本発明のカットスイカの包装袋は、プラスチックフィルムを２軸延伸ポリプロピレンフィルムと無延伸ポリプロピレンフィルムには特定しない。包装袋のプラスチックフィルムには、ポリエチレンフィルム、ポリエステルフィルム、さらに複数のプラスチックフィルムを積層しているラミネートフィルム、たとえば、２軸延伸ポリプロピレンフィルムとポリエチレンフィルムとのラミネートフィルム、２軸延伸ポリプロピレンフィルムと無延伸ポリプロピレンフィルムとのラミネートフィルム等も使用できる。とくに、２軸延伸ポリプロピレンフィルムと無延伸ポリプロピレンフィルムとのラミネートフィルムは、優れた透明性と防湿性があるので、カットスイカを綺麗に見えるように包装できる特徴がある。
【００２４】
さらに、図６に示すカットスイカの包装袋は、１枚のプラスチックフィルム１９を二つ折りして包装袋１０としている。この包装袋１０は、１枚のプラスチックフィルム１９を二つ折りしてその折り線部１８を底辺１３としている。底辺１３は、第２の側辺１２との境界、すなわちＬ字状コーナー部１５の隅角を熱溶着している。この包装袋１０は、底辺１３の一部を折り線部１８とし、第２の側辺１２との境界部を、第２の側辺１２と底辺１３の両方に渡って熱溶着している。この包装袋１０は、１枚のプラスチックフィルム１９を二つ折りして折り線部１８を底辺１３とし、さらに、その底辺１３の一部と、第１の側辺１１と第２の側辺１２を熱溶着して、袋状に加工している。この包装袋１０のプラスチックフィルム１９も、２軸延伸ポリプロピレンフィルムや無延伸ポリプロピレンフィルム、さらには２軸延伸ポリプロピレンフィルムと無延伸ポリプロピレンフィルムとのラミネートフィルムが適している。ただし、このプラスチックフィルムにも、２枚のプラスチックフィルムからなる包装袋と同じように、ポリエチレンフィルムやポリエステルフィルム、あるいは複数のプラスチックフィルムを積層しているラミネートフィルムが使用できる。
【符号の説明】
【００２５】
１０…包装袋
１１…第１の側辺
１２…第２の側辺
１３…底辺
１４…コーナー部
１５…Ｌ字状コーナー部
１６…開口部
１７…突出部
１８…折り線部
１９…プラスチックフィルム
２０…結束バンド
３０…カットスイカ
３１…稜線
３２…カット面
３３…外皮
９１…側辺
９２…側辺
９３…底辺
９４…円弧
９５…コーナー部
９６…開口部
９７…ピンホール
９８…折り線部
【図１】
2011037487.tif 000003
【図２】
2011037487.tif 000004
【図３】
2011037487.tif 000005
【図４】
2011037487.tif 000006
【図５】
2011037487.tif 000007
【図６】
2011037487.tif 000008